(57)【要約】      （修正有）【課題】昔から水で水車を回転して電気エネルギーを得る技術はあった。化石燃料を使う発電業界では大気汚染地球温暖化問題を解消できません。再生可能な水を使い水車の回転を利用した新たな技術開発をして、自然エネルギー産業を創る課題がある。【解決手段】高低差を利用する。排水槽２，給水槽１を設けＵ字型導水管３で結び導水管の間に複数の水車４を設け歯車８を駆動する。排水槽２から給水槽１へ揚水ポンプで揚水する。【選択図】図１
2013057306.tif 000002
【特許請求の範囲】
【請求項１】
箱形の給水を目的とする給水槽。  給水槽の底面の適正な位置に、２つの給水口を開口する。  給水槽の下に同じ大きさの排水槽を密着して２層に重ねて固定、排水槽の天井部分と、底面に給水槽の底面の給水口に合わせて、同じ大きさの給水口（４つ）と、又別に排水槽の底面の適正な位置に同じ大きさの排水口を開口（２個）する。  給水側導水管は給水槽の底面の開口部に密着接合した後、排水槽の天井と底面の開口部をトンネル状に貫通し延長して、別に排水槽の開口部に密着接合し、延長された排水側導水管と１本に連結する。  導水管は左右で２本になり、給水側２本、排水側２本になる。  Ｕ字型の両導水管の各々に、左右縦中間の適正な位置に水車が回転するように固定する。
導水管（配管）はＵ字型で、Ｕ字型の給水側の導水管内は水の流れ落ちる方で、流れる水が水車の右側半分を回転する。  Ｕ字型の排水側の導水管内の水は上に登りながら、水車の左側半分を回転して排水槽に入る。排水槽の水は、ポンプで給水槽に循環使用される。水が流れて水車が回転すると、水車と同軸の歯車（Ａ）が回転、歯車（Ａ）に接触している歯車（Ｂ）と、同軸の歯車（Ｃ）が同時に回転して、２個の歯車（Ｃ）にベルトで連結した電動機が回転することを特徴とする落差利用水車伝動装置。
【発明の詳細な説明】
【技術分野】
【０００１】  本発明は水車を水で駆動回転させて、水車と同軸の歯車に回転エネルギーを伝動する技術分野に関する。
【背景技術】
【０００２】  川の急流で回転する水車や、ダムの水力発電に使われる羽根車（水車）等、従来からある水と水車で行われる回転伝動技術であり、公知されている。
【先行技術文献】
【０００３】
【特許文献】
【特許文献】  特許公開２００８−２５６３２９  公報  特許公開２００５−０６９５１７  公報  特許公開２００１−２８９５３３  公報  特許公開２００１−２４８９４２  公報  特許公開  平１０−０３０８１２  公報  特許公開  平１０−０１９２４４  公報  特許公開  平０５−１７９３２７  公報  特許公表２０００−５０４０７５  公報  特許公表  平１１−５０７４２３  公報  実用新案公開０５−０２８０２７  公報
【０００４】
【非特許文献】
【非特許文献】  佐藤正和著  エネルギー  ｋｋナツメ社出版  ２０００年１１月９日発行  ｐ１２  ｐ７２〜７３  ｐ１１８〜１１９  千矢博道著  小型水力発電入門  パワー社出版  １９９２年９月１０日発行  ｐ６０〜８２  ｐ１０５〜１０７  藤原良樹  細川よし延共著  小型水車製作ガイドブック  パワー社出版  １９９８年７月２０日発行  ｐ１〜９６  竹尾敬三著  小型水力発電機製作所ガイドブック  パワー社出版１９９９年３月２５日発行  ｐ１〜１２０  小町  弘  吉田裕亮著  絵とき  機械工学のやさしい知識  ｋｋオーム社  平成１８年１月２０日発行  ｐ１５５〜ｐ１５８
【発明の概要】
【発明が解決しようとする課題】
【０００５】  大気汚染問題、地球温暖化問題、又最近石油燃料の価格の高騰、将来的には枯渇問題、東北震災後の電気不足が確実になり、全国的に節電一色の毎日、産業生産の将来、日常生活の今後が不安である等、日本の自然エネルギーへの関心を高める課題がある。【０００６】  再生可能なエネルギーの利用を２０％に引き上げるという政策を発表したことにも応えたい。
【課題を解決するための手段】
【０００７】  上記の課題を解決するために、本発明は高低差を利用して、水と水車の発電技術であるダムの仕組みを、そのまま小さくして家庭用、小規模企業の現場で、安心、安全、安価な再生可能なエネルギーである水を利用して、電気エネルギーを得る原動機を提供する。
【発明の効果】
【０００８】  水を使用するので大気汚染、大きくは地球温暖化問題、又最近石油燃料の価格の高騰将来的には石油の枯渇問題、今全国的に節電一色で、産業生産また日常生活に不便ゆとりが無い等、問題の解決に少しでも貢献する効果がある。【０００９】  最近国の政策として、再生可能なエネルギーの利用を２０％に引き上げると発表された。この政策の実現にも少し役立つと思う。
【図面の簡単な説明】
【００１０】
【図１】  落差利用水車伝動装置  正面図
【図２】  落差利用水車伝動装置  側面図
【図３】  伝動装置  給水槽と排水槽との関係図
【発明を実施するための形態】
【００１１】  以下、本発明の実施の形態について詳細に説明する。
【００１２】  製作に実施使用する構成部品、組み立て位置、その仕事について説明する。
上から順次に、給水を目的とする給水槽（１）。その給水槽（１）の底面に、適正な位置につけられた２つの給水口（６）を開口する。
【００１３】  その下に排水槽（２）を密着して２層に重ねて固定、排水槽（２）の天井部分と底面に、上の給水槽（１）の底面の給水口（６）に重なる天井部分と底面に２個ずつを開口する。又別に同じ排水槽（２）の底面部分の適正な位置に排水口（７）２個を開口する。
【００１４】  水車（４）を回す水を流す導水管（配管）（３）はＵ字型で、Ｕ字形の右側を水の流れ落ちる側、Ｕ字型の左側を水が上る側として位置、排水側導水管（１５）は排水槽（２）の開口部から密着接合して延長し、給水側の導水管（１４）は、給水槽（１）の底面の開口部に密着接合して延長、排水槽（２）の天井と底面の開口部をトンネル状に貫通させて，通過させて延長。
【００１５】  延長された左右（１４）（１５）の導水管をＵ字型の配管で１本に連結接合する。
【００１６】  左右（１４）（１５）の導水管の間で水車（４）が水で回転するよう決められた適正な位置に、水車（４）を複数配置固定する。  この作業では左右２本の導水管（３×２）で、８個の風車（４）が固定使用される。  大型を希望の時は導水管の延長と、風車の数を増やせば良い。  始動は商用電源を使用。
【００１７】  給水槽（１）の給水口（６）から給水側導水管（１４）へ水が流れ落ちると、水車（４）が水の流れる方向に回転する。  流れ落ちた水は反転し上に流れて、排水槽（２）に入る。  給水側に高圧ポンプで、流水に水圧を加えると一層効果的である。
【００１８】  水の特質として、凹状の口の開いたガラス容器の片方から水を入れると、もう一方の空間に水が流れて左右同じ水の高さを維持しようとする表面張力の性質を利用する。
【００１９】  導水管（３）に回転するよう固定された水車（４）が流れる水で回転、水車（４）の回転軸（５）と同軸の歯車（Ａ）（８）が回転、歯車（Ａ）に接触している歯車（Ｂ）（９）と、歯車（Ｂ）と同軸の歯車（Ｃ）（１０）が同時に回転する。
歯車（Ｃ）（１０）２個と原動機（１３）をベルトで連結、回転すると発電する。
【００２０】  排水槽（２）から給水槽（１）に高圧、揚水ポンプ（１１）を使用して揚水する。
使用する水は、水道水と雨水を使いエコになるようにする。
【産業上の利用可能性】
【００２１】  本発明の落差利用水車伝動装置で水と水車の回転運動を利用、原動機として使用される。  震災後の電気事情は電気不足で、全国的に節電一色になり、その解消に再生可能なエネルギーを使って自家製の電気を作り、電気会社に売電する時代がきて、高い石油もいらない将来にする。  自然エネルギーへの関心が高まり、電気は単独で発電システムを持つ時代が来る。
【符号の説明】
【００２２】１    給水槽
２    排水槽
３    導水管
４    水車
５    水車回転軸
６    給水口    （６個）
７    排水口    （２個）
８    歯車（Ａ）  水車と回転同軸
９    歯車（１０），（１１）の回転軸
１０  歯車（Ｂ）  歯車（Ｃ）と同軸
１１  歯車（Ｃ）  歯車（Ｂ）と同軸
１２  揚水ポンプ
１３  伝動ベルト
１４  原動機
１５  給水側導水管
１６  排水側導水管
【図１】
2013057306.tif 000003
【図２】
2013057306.tif 000004
【図３】
2013057306.tif 000005
【手続補正書】
【提出日】平成23年12月5日(2011.12.5)
【手続補正１】
【補正対象書類名】特許請求の範囲
【補正対象項目名】全文
【補正方法】変更
【補正の内容】
【特許請求の範囲】
【請求項１】
底面に２つの流水口を開口した箱形の給水槽と、その下に天井に２つ、底面に４つの流水口を開口した給水槽と同型の排水槽を密着固定させ、
給水側導水管を給水槽の底面の開口部に接合して排水槽の天井と底面の開口部をトンネル状に貫通延長させ、又別に排水槽底面の開口部に接合して固定延長された排水側導水管とＵ字形に連結固定、左右２本の導水管ができて、
給水側導水管と排水側導水管の間の適正な位置に水車が回転するように固定、
給水槽から流水すると、給水側の導水管内は水が流れ落ちて、水車の右側半分を加圧し、落ちた水は反転して、
排水側の導水管内の水は上昇し、回転する水車の左側半分を加圧、回転しながら排水槽に入り、電動ポンプで給水槽に循環され、
水が流れて水車が回転すると、水車と同軸の歯車（Ａ）が回転、歯車（Ａ）に接触している歯車（Ｂ）と、同軸の歯車（Ｃ）が同時に回転して、２個の歯車（Ｃ）にベルトで連結した電動機が回転することを特徴とする落差利用水車伝動装置。
【手続補正書】
【提出日】平成24年2月28日(2012.2.28)
【手続補正１】
【補正対象書類名】特許請求の範囲
【補正対象項目名】全文
【補正方法】変更
【補正の内容】
【特許請求の範囲】
【請求項１】
底面に２つの流水口を開口した箱形の給水槽と、その下に、天井に２つ、底面に４つの流水口を開口した給水槽と同型の排水槽を密着固定させ、
給水側導水管を給水槽の底面の開口部に接合して排水槽の天井と底面の開口部をトンネル状に貫通延長させ、又別に排水槽底面の開口部に接合して固定延長された排水側導水管とＵ字形に連結固定させることによって、左右２本の導水管ができて、
給水側導水管と排水側導水管の間の適正な位置に水車が回転するように固定、
給水槽から流水すると、給水側の導水管内は水が流れ落ちて、水車の右側半分を加圧し、落ちた水は反転して、
排水側の導水管内の水は上昇し、回転する水車の左側半分を加圧、回転しながら排水槽に入り、電動ポンプで給水槽に循環され、
水が流れて水車が回転すると、水車と同軸の第１の歯車（Ａ）が回転し、第１の歯車（Ａ）に接触している第２の歯車（Ｂ）と、同軸の第３の歯車（Ｃ）が同時に回転して、２個の第３の歯車（Ｃ）にベルトで連結した発電機が回転することを特徴とする落差利用水車伝動装置。
【手続補正２】
【補正対象書類名】明細書
【補正対象項目名】全文
【補正方法】変更
【補正の内容】
【発明の詳細な説明】
【技術分野】
【０００１】  本発明は水車を水で駆動回転させて、水車と同軸の歯車に回転エネルギーを伝動する技術分野に関する。
【背景技術】
【０００２】  川の急流で回転する水車や、ダムの水力発電に使われる羽根車（水車）等、従来からある水と水車で行われる回転伝動技術であり、公知されている。
【先行技術文献】
【０００３】
【特許文献】
【特許文献】特許公開２００８−２５６３２９  公報  特許公開２００５−０６９５１７  公報  特許公開２００１−２８９５３３  公報  特許公開２００１−２４８９４２  公報  特許公開  平１０−０３０８１２  公報  特許公開  平１０−０１９２４４  公報  特許公開  平０５−１７９３２７  公報  特許公表２０００−５０４０７５  公報  特許公表  平１１−５０７４２３  公報  実用新案公開０５−０２８０２７  公報
【０００４】
【非特許文献】
【非特許文献】佐藤正和著  エネルギー  ｋｋナツメ社出版  ２０００年１１月９日発行  ｐ１２  ｐ７２〜７３  ｐ１１８〜１１９  千矢博道著  小型水力発電入門  パワー社出版  １９９２年９月１０日発行  ｐ６０〜８２  ｐ１０５〜１０７  藤原良樹  細川よし延共著  小型水車製作ガイドブック  パワー社出版  １９９８年７月２０日発行  ｐ１〜９６  竹尾敬三著  小型水力発電機製作所ガイドブック  パワー社出版１９９９年３月２５日発行  ｐ１〜１２０  小町  弘  吉田裕亮著  絵とき  機械工学のやさしい知識  ｋｋオーム社  平成１８年１月２０日発行  ｐ１５５〜ｐ１５８
【発明の概要】
【発明が解決しようとする課題】
【０００５】  大気汚染問題、地球温暖化問題、又最近石油燃料の価格の高騰、将来的には枯渇問題、
東北震災後の電気不足が確実になり、全国的に節電一色の毎日、産業生産の将来、日常生活の今後が不安である等、日本の自然エネルギーへの関心を高める課題がある。【０００６】  再生可能なエネルギーの利用を２０％に引き上げるという政策を発表したことにも応えたい。
【課題を解決するための手段】
【０００７】  課題を解決する手段として次の発明を提供する。
底面に２つの流水口を開口した箱形の給水槽と、給水槽の下に、天井に２つ、底面に４つの流水口を開口した給水槽と同型の排水槽を密着固定させ、給水側導水管を給水槽の底面の開口部に接合して、排水槽の天井と底面の開口部をトンネル状に貫通延長させ、又別に排水槽底面の開口部に接合して固定延長された排水側導水管と、Ｕ字形に連結固定させることによって、左右２本の導水管ができて、給水側導水管と排水側導水管の間の適正な位置に、水車が回転するように固定される。
給水槽から水を流すと、給水側の導水管に水が流れ落ちて、水車の右側半分を加圧し、落ちた水は反転して排水側の導水管を上昇し、水車の左側半分を加圧、水車を回転しながら排水槽に入り、電動ポンプで給水槽に還るように循環式にする。
水が流れて水車が回転すると、水車と同軸の第１の歯車（Ａ）が回転、第１の歯車（Ａ）に接触している第２の歯車（Ｂ）と、同軸の第３の歯車（Ｃ）が同時に回転して、２個の第３の歯車（Ｃ）に連動する発電機が回転することを特徴とする落差利用水車伝動装置。である。
【発明の効果】
【０００８】  水を使用することで大気汚染、大きくは地球温暖化問題の軽減に貢献できる。
川やダムの発電の仕組みを広く家庭や企業、事務所に導入でき、発電、電気の消費、蓄電、電気自動車の充電に使用、残った電力は売る事が出来る。  自然エネルギーを求める低炭素社会の実現に少しでも貢献する効果がある。【０００９】  最近国の政策として、再生可能なエネルギーの利用を２０％に引き上げると発表された。
この政策の実現にも少し役立つと思う。
【図面の簡単な説明】
【００１０】
【図１】  落差利用水車伝動装置  正面図
【図２】  落差利用水車伝動装置  側面図
【図３】  伝動装置  給水槽と排水槽との関係図
【発明を実施するための形態】
【００１１】  以下、本発明の実施の形態について詳細に説明する。
【００１２】  製作に実施使用する構成部品、組み立て位置、その仕事について説明する。
上から順次に、貯水と給水を目的とする給水槽（１）。  その給水槽（１）の底面に、適正な位置になる２つの給水口（６）を開口する。
【００１３】  給水槽の下に排水槽（２）を密着して２層に重ねて固定し、排水槽（２）の天井部分と底面に、上の給水槽（１）の底面の給水口（６）に重なる天井部分と、底面に２個ずつを開口する。又別に同じ排水槽（２）の底面部分の適正な位置に排水口（７）２個を開口する。
【００１４】  水車（４）を回す水が流れる導水管（配管）（３）はＵ字形で、Ｕ字形の右側を水の流れ落ちる側、Ｕ字形の左側は水が上る側として位置し、排水側導水管（１５）は排水槽（２）の開口部から密着接合して延長し、給水側の導水管（１４）は、給水槽（１）の底面の開口部に密着接合して延長、排水槽（２）の天井と底面の開口部をトンネル状に貫通し、通過させて延長する。
【００１５】  延長された左右（１４）（１５）の導水管をＵ字形の配管で１本に連結接合する。
【００１６】  左右（１４）（１５）の導水管の間で水車（４）が水で回転するよう決められた適正な位置に、水車（４）を複数配置固定する。    この作業では左右２本の導水管（４×２）で、８個の風車（４）が固定使用される。  大型を希望の時は導水管の延長と、水車の数を増やせば良い。  始動は商用電源を使用する。    又は蓄電池の使用もよい。
【００１７】  給水槽（１）の給水口（６）から給水側導水管（１４）へ水が流れ落ちると、水車（４）
は水の流れる方向に回転する。  流れ落ちた水は反転し上に流れて、排水槽（２）に入り、ポンプで給水槽に還流される。    流水に水圧を加えると一層効果的である。
【００１８】  本発明は水の特質である、凹状の口の開いたガラス容器の片方から水を入れると、もう一方の空間に水が流れて左右同じ水の高さを維持しようとする表面張力の性質を利用する。
【００１９】  導水管（３）に回転するよう固定された水車（４）が流れる水で回転、水車（４）の回転軸（５）と同軸の第一の歯車（Ａ）（８）が回転、第一の歯車（Ａ）に接触している回転軸（９）と、第二の歯車（Ｂ）と同軸の第三の歯車（Ｃ）（１０）が同時に回転する。
２個の第３の歯車（Ｃ）（１０）に発電機（１３）をベルトで連結、回転すると発電する。
【００２０】  水は排水槽（２）から給水槽（１）に揚水ポンプ（１１）を使用して揚水する。
使用する水は、水道水と出来るだけ雨水を使いエコになるようにする。
【産業上の利用可能性】
【００２１】    本発明の落差利用水車伝動装置は水と水車の回転運動を利用した発電機として使用される。    全国的に節電一色になり、その解消に再生可能なエネルギーを使って自家製の電気を作り、電気会社に売電する時代がきて、高い石油もいらない将来にする。  自然エネルギーへの関心が高まり、電気は単独で発電システムを持つ時代が来るので、電気自動車の充電器としても利用される。    関係企業の雇用創出に役立つ。
【符号の説明】
【００２２】１    給水槽
２    排水槽
３    導水管
４    水車
５    水車回転軸  ８本
６    給水口      ６個
７    排水口      ２個
８    第一の歯車（Ａ）  水車と回転同軸            ８個
９    回転軸      歯車（１０），（１１）の回転軸  ２本
１０  第二の歯車（Ｂ）  歯車（Ｃ）と同軸          ２個
１１  第三の歯車（Ｃ）  歯車（Ｂ）と同軸          ２個
１２  揚水ポンプ
１３  伝動ベルト
１４  発電機
１５  給水側導水管
１６  排水側導水管
【手続補正３】
【補正対象書類名】図面
【補正対象項目名】図１
【補正方法】変更
【補正の内容】
【図１】
2013057306.tif 000006
【手続補正書】
【提出日】平成24年3月14日(2012.3.14)
【手続補正１】
【補正対象書類名】特許請求の範囲
【補正対象項目名】全文
【補正方法】変更
【補正の内容】
【特許請求の範囲】
【請求項１】
底面に２つの流水口を開口した箱形の給水槽と、その下に、天井に２つ、底面に４つの流水口を開口した給水槽と同型の排水槽を密着固定させ、
給水側導水管を給水槽の底面の開口部に接合して排水槽の天井と底面の開口部をトンネル状に貫通延長させ、又別に排水槽底面の開口部に接合して固定延長された排水側導水管とＵ字形に連結固定させることによって、左右２本の導水管ができて、
給水側導水管と排水側導水管の間の適正な位置に水車が回転するように固定、
給水槽から流水すると、給水側の導水管内は水が流れ落ちて、水車の右側半分を加圧し、落ちた水は反転して、
排水側の導水管内の水は上昇し、回転する水車の左側半分を加圧、回転しながら排水槽に入り、電動ポンプで給水槽に循環され、
水が流れて水車が回転すると、水車と同軸の第１の歯車（Ａ）が回転し、第１の歯車（Ａ）に接触している第２の歯車（Ｂ）と、同軸の第３の歯車（Ｃ）が同時に回転して、２個の第３の歯車（Ｃ）にベルトで連結した発電機が回転することを特徴とする落差利用水車伝動装置。
【手続補正２】
【補正対象書類名】明細書
【補正対象項目名】全文
【補正方法】変更
【補正の内容】
【発明の詳細な説明】
【技術分野】
【０００１】  本発明は水車を水で駆動回転させて、水車と同軸の歯車に回転エネルギーを伝動する技術分野に関する。
【背景技術】
【０００２】  川の急流で回転する水車や、ダムの水力発電に使われる羽根車（水車）等、従来からある水と水車で行われる回転伝動技術であり、公知されている。
【先行技術文献】
【０００３】
【特許文献】
【特許文献】特許公開２００８−２５６３２９  公報  特許公開２００５−０６９５１７  公報  特許公開２００１−２８９５３３  公報  特許公開２００１−２４８９４２  公報  特許公開  平１０−０３０８１２  公報  特許公開  平１０−０１９２４４  公報  特許公開  平０５−１７９３２７  公報  特許公表２０００−５０４０７５  公報  特許公表  平１１−５０７４２３  公報  実用新案公開０５−０２８０２７  公報
【０００４】
【非特許文献】
【非特許文献】佐藤正和著  エネルギー  ｋｋナツメ社出版  ２０００年１１月９日発行  ｐ１２  ｐ７２〜７３  ｐ１１８〜１１９  千矢博道著  小型水力発電入門  パワー社出版  １９９２年９月１０日発行  ｐ６０〜８２  ｐ１０５〜１０７  藤原良樹  細川よし延共著  小型水車製作ガイドブック  パワー社出版  １９９８年７月２０日発行  ｐ１〜９６  竹尾敬三著  小型水力発電機製作所ガイドブック  パワー社出版１９９９年３月２５日発行  ｐ１〜１２０  小町  弘  吉田裕亮著  絵とき  機械工学のやさしい知識  ｋｋオーム社  平成１８年１月２０日発行  ｐ１５５〜ｐ１５８
【発明の概要】
【発明が解決しようとする課題】
【０００５】  大気汚染問題、地球温暖化問題、又最近石油燃料の価格の高騰、将来的には枯渇問題、東北震災後の電気不足が確実になり、全国的に節電一色の毎日、産業生産の将来、日常生活の今後が不安である等、日本の自然エネルギーへの関心を高める課題がある。【０００６】  再生可能なエネルギーの利用を２０％に引き上げるという政策を発表したことにも応えたい。
【課題を解決するための手段】
【０００７】課題を解決する手段として次の発明を提供する。
底面に２つの流水口を開口した箱形の給水槽と、給水槽の下に、天井に２つ、底面に４つの流水口を開口した給水槽と同型の排水槽を密着固定させ、給水側導水管を給水槽の底面の開口部に接合して、排水槽の天井と底面の開口部をトンネル状に貫通延長させ、又別に排水槽底面の閉口部に椄合して固定延長された排水側導水管と、Ｕ字形に連結固定させることによって、左右２本の導水管ができて、給水側導水管と排水側導水管の間の適正な位置に、水車が回転するように固定される。
給水槽から水を流すと、給水側の導水管に水が流れ落ちて、水車の右側半分を加圧し、落ちた水は反転して排水側の導水管を上昇し、水車の左側半分を加圧、水車を回転しながら排水槽に入り、電動ポンプで給水槽に還るように循環式にする。
水が流れて水車が回転すると、水車と同軸の第１の歯車（Ａ）が回転、第１の歯車（Ａ）に接触している第２の歯車（Ｂ）と、同軸の第３の歯車（Ｃ）が同時に回転して、２個の第３の歯車（Ｃ）に連動する発電機が回転することを特徴とする落差利用水車伝動装置。である。
【発明の効果】
【０００８】  水を使用することで大気汚染、大きくは地球温暖化問題の軽減に貢献できる。
川やダムの発電の仕組みを広く家庭や企業、事務所に導入でき、発電、電気の消費、蓄電、電気自動車の充電に使用、残った電力は売る事が出来る。  自然エネルギーを求める低炭素社会の実現に少しでも貢献する効果がある。【０００９】  最近国の政策として、再生可能なエネルギーの利用を２０％に引き上げると発表された。この政策の実現にも少し役立つと思う。
【図面の簡単な説明】
【００１０】
【図１】  落差利用水車伝動装置  正面図
【図２】  落差利用水車伝動装置  側面図
【図３】  伝動装置  給水槽と排水槽との関係図
【発明を実施するための形態】
【００１１】  以下、本発明の実施の形態について詳細に説明する。
【００１２】  製作に実施使用する構成部品、組み立て位置、その仕事について説明する。
上から順次に、給水を目的とする給水槽（１）。  その給水槽（１）の底面に、適正な位置になる２つの給水口（６）を開口する。
【００１３】給水槽の下に排水槽（２）を密着して２層に重ねて固定し、排水槽（２）の天井部分と底面に、上の給水槽（１）の底面の給水口（６）に重なる天井部分と、底面に２個ずつを開口する。又別に同じ排水槽（２）の底面部分の適正な位置に排水口（７）２個を開口する。
【００１４】  水車（４）を回す水が流れる導水管（配管）（３）はＵ字形で、Ｕ字形の右側を水の流れ落ちる側、Ｕ字形の左側は水が上る側として位置し、排水側導水管（１５）は排水槽（２）の開口部から密着接合して延長し、給水側の導水管（１４）は、給水槽（１）の底面の開口部に密着接合して延長、排水槽（２）の天井と底面の開口部をトンネル状に貫通し、通過させて延長する。
【００１５】  延長された左右（１４）（１５）の導水管をＵ字形の配管で１本に連結接合する。
【００１６】  左右（１４）（１５）の導水管の間で水車（４）が水で回転するよう決められた適正な位置に、水車（４）を複数配置固定する。    この作業では左右２本の導水管（４×２）で、８個の風車（４）が固定使用される。  大型を希望の時は導水管の延長と、水車の数を増やせば良い。  始動は商用電源を使用する。
【００１７】  給水槽（１）の給水口（６）から給水側導水管（１４）へ水が流れ落ちると、水車（４）は水の流れる方向に回転する。  流れ落ちた水は反転し上に流れて、排水槽（２）に入り、ポンプで給水槽に還流される。    流水に水圧を加えると一層効果的である。
【００１８】本発明は水の特質である、凹状の口の開いたガラス容器の片方から水を入れると、もう一方の空間に水が流れて左右同じ水の高さを維持しようとする表面張力の性質を利用する。
【００１９】  導水管（３）に回転するよう固定された水車（４）が流れる水で回転、水車（４）の回転軸（５）と同軸の第一の歯車（Ａ）（８）が回転、第一の歯車（Ａ）に接触している回転軸（９）と、第二の歯車（Ｂ）と同軸の第三の歯車（Ｃ）（１０）が同時に回転する。
２個の第３の歯車（Ｃ）（１０）に発電機（１３）をベルトで連結、回転すると発電する。
【００２０】  排水槽（２）から給水槽（１）に揚水ポンプ（１１）を使用して揚水する。
使用する水は、水道水と雨水を使いエコになるようにする。
【産業上の利用可能性】
【００２１】  本発明の落差利用水車伝動装置は水と水車の回転運動を利用した発電機として使用される。    全国的に節電一色になり、その解消に再生可能なエネルギーを使って自家製の電気を作り、電気会社に売電する時代がきて、高い石油もいらない将来にする。  自然エネルギーへの関心が高まり、電気は単独で発電システムを持つ時代が来る。
【符号の説明】
【００２２】１    給水槽
２    排水槽
３    導水管
４    水車
５    水車回転軸  ８本
６    給水口      ６個
７    排水口      ２個
８    第一の歯車（Ａ）    水車と回転同軸              ８個
９    回転軸      歯車（１０），（１１）の回転軸      ２本
１０  第二の歯車（Ｂ）    歯車（Ｃ）と同軸            ２個
１１  第三の歯車（Ｃ）    歯車（Ｂ）と同軸            ２個
１２  揚水ポンプ
１３  伝動ベルト
１４  発電機
１５  給水側導水管
１６  排水側導水管
【手続補正３】
【補正対象書類名】図面
【補正対象項目名】図１
【補正方法】変更
【補正の内容】
【図１】
2013057306.tif 000007
【手続補正書】
【提出日】平成24年7月5日(2012.7.5)
【手続補正１】
【補正対象書類名】特許請求の範囲
【補正対象項目名】全文
【補正方法】変更
【補正の内容】
【特許請求の範囲】
【請求項１】
底面に２つの流水口を開口した箱形の給水槽と、その下に、天井に２つ、底面に４つの流水口を開口した給水槽と同型の排水槽を密着固定させ、
給水側導水管を給水槽の底面の開口部に接合して排水槽の天井と底面の開口部をトンネル状に貫通延長させ、又別に排水槽底面の開口部に接合して固定延長された排水側導水管とＵ字形に連結固定させることによって、左右２本の導水管ができて、
給水側導水管と排水側導水管の間の適正な位置に水車が回転するように固定、
給水槽から流水すると、給水側の導水管内は水が流れ落ちて、水車の右側半分を加圧し、落ちた水は反転して、
排水側の導水管内の水は上昇し、回転する水車の左側半分を加圧、回転しながら排水槽に入り、電動ポンプで給水槽に循環され、
水が流れて水車が回転すると、水車と同軸の第１の歯車（Ａ）が回転し、第１の歯車（Ａ）に接触している第２の歯車（Ｂ）と、同軸の第３の歯車（Ｃ）が同時に回転して、２個の第３の歯車（Ｃ）にベルトで連結した発電機が回転することを特徴とする落差利用水車伝動装置。
【手続補正２】
【補正対象書類名】明細書
【補正対象項目名】全文
【補正方法】変更
【補正の内容】
【発明の詳細な説明】
【技術分野】
【０００１】  本発明は水車を水で駆動回転させて、水車と同軸の歯車に回転エネルギーを伝動する技術分野に関する。
【背景技術】
【０００２】  川の急流で回転する水車や、ダムの水力発電に使われる羽根車（水車）等、従来からある水と水車で行われる回転伝動技術であり、公知されている。
【先行技術文献】
【０００３】
【特許文献】
【特許文献】  特許公開２００８−２５６３２９  公報  特許公開２００５−０６９５１７  公報  特許公開２００１−２８９５３３  公報  特許公開２００１−２４８９４２  公報  特許公開  平１０−０３０８１２  公報  特許公開  平１０−０１９２４４  公報  特許公開  平０５−１７９３２７  公報  特許公表２０００−５０４０７５  公報  特許公表  平１１−５０７４２３  公報  実用新案公開０５−０２８０２７  公報
【０００４】
【非特許文献】
【非特許文献】  佐藤正和著  エネルギー  ｋｋナツメ社出版  ２０００年１１月９日発行  ｐ１２  ｐ７２〜７３  ｐ１１８〜１１９  千矢博道著  小型水力発電入門  パワー社出版  １９９２年９月１０日発行  ｐ６０〜８２  ｐ１０５〜１０７  藤原良樹  細川よし延共著  小型水車製作ガイドブック  パワー社出版  １９９８年７月２０日発行  ｐ１〜９６  竹尾敬三著  小型水力発電機製作所ガイドブック  パワー社出版  １９９９年３月２５日発行  ｐ１〜１２０  小町  弘  吉田裕亮著  絵とき  機械工学のやさしい知識  ｋｋオーム社  平成１８年１月２０日発行  ｐ１５５〜ｐ１５８
【発明の概要】
【発明が解決しようとする課題】
【０００５】  大気汚染問題、地球温暖化問題、又最近石油燃料の価格の高騰、将来的には枯渇問題、東北震災後の電気不足が確実になり、全国的に節電一色の毎日、産業生産の将来、日常生活の今後が不安である等、日本の自然エネルギーへの関心を高める課題がある。【０００６】  再生可能なエネルギーの利用を２０％に引き上げるという政策を発表したことにも応えたい。
【課題を解決するための手段】
【０００７】課題を解決する手段として次の発明を提供する。
底面に２つの流水口を開口した箱形の給水槽と、給水槽の下に、天井に２つ、底面に４つの流水口を開口した給水槽と同型の排水槽を密着固定させ、給水側導水管を給水槽の底面の開口部に接合して、排水槽の天井と底面の開口部をトンネル状に貫通延長させ、又別に排水槽底面の開口部に接合して固定延長された排水側導水管と、Ｕ字形に連結固定させることによって、左右２本の導水管ができて、給水側導水管と排水側導水管の間の適正な位置に、水車が回転するように固定される。
給水槽から水を流すと、給水側の導水管に水が流れ落ちて、水車の右側半分を加圧し、落ちた水は反転して排水側の導水管を上昇し、水車の左側半分を加圧、水車を回転しながら排水槽に入り、電動ポンプで給水槽に還るように循環式にする。
水が流れて水車が回転すると、水車と同軸の第１の歯車（Ａ）が回転、第１の歯車（Ａ）に接触している第２の歯車（Ｂ）と、同軸の第３の歯車（Ｃ）が同時に回転して、２個の第３の歯車（Ｃ）に連動する発電機が回転することを特徴とする落差利用水車伝動装置。である。
【発明の効果】
【０００８】  水を使用することで大気汚染、大きくは地球温暖化問題の軽減に貢献できる。
川やダムの発電の仕組みを広く家庭や企業、事務所に導入でき、発電、電気の消費に使用、残った電力は売る事が出来る。  自然エネルギーを求める低炭素社会の実現に少しでも貢献する効果がある。【０００９】  最近国の政策として、再生可能なエネルギーの利用を２０％に引き上げると発表された。この政策の実現にも少し役立つと思う。
【図面の簡単な説明】
【００１０】
【図１】  落差利用水車伝動装置  正面図
【図２】  落差利用水車伝動装置  側面図
【図３】  伝動装置  給水槽と排水槽との関係図
【発明を実施するための形態】
【００１１】  以下、本発明の実施の形態について詳細に説明する。
【００１２】  製作に実施使用する構成部品、組み立て位置、その仕事について説明する。
上から順次に、給水を目的とする給水槽（１）。  その給水槽（１）の底面に、適正な位置になる２つの給水口（６）を開口する。
【００１３】給水槽の下に排水槽（２）を密着して２層に重ねて固定し、排水槽（２）の天井部分と底面に、上の給水槽（１）の底面の給水口（６）に重なる天井部分と、底面に２個ずつを開口する。又別に同じ排水槽（２）の底面部分の適正な位置に排水口（７）２個を開口する。
【００１４】  水車（４）を回す水が流れる導水管（配管）（３）はＵ字形で、Ｕ字形の右側を水の流れ落ちる側、Ｕ字形の左側は水が上る側として位置し、排水側導水管（１５）は排水槽（２）の開口部から密着接合して延長し、給水側の導水管（１４）は、給水槽（１）の底面の開口部に密着接合して延長、排水槽（２）の天井と底面の開口部をトンネル状に貫通し、通過させて延長する。
【００１５】  延長された左右（１４）（１５）の導水管をＵ字形の配管で１本に連結接合する。
【００１６】  左右（１４）（１５）の導水管の間で水車（４）が水で回転するよう決められた適正な位置に、水車（４）を複数配置固定する。    この作業では左右２本の導水管（４×２）で、８個の風車（４）が固定使用される。  大型を希望の時は導水管の延長と、水車の数を増やせば良い。  始動は商用電源を使用する。
【００１７】  給水槽（１）の給水口（６）から給水側導水管（１４）へ水が流れ落ちると、水車（４）は水の流れる方向に回転する。  流れ落ちた水は反転し上に流れて、排水槽（２）に入り、ポンプで給水槽に還流される。    流水に水圧を加えると一層効果的である。
【００１８】本発明は水の特質である、凹状の口の開いたガラス容器の片方から水を入れると、もう一方の空間に水が流れて左右同じ水の高さを維持しようとする表面張力の性質を利用する。
【００１９】  導水管（３）に回転するよう固定された水車（４）が流れる水で回転、水車（４）の回転軸（５）と同軸の第一の歯車（Ａ）（８）が回転、第一の歯車（Ａ）に接触している回転軸（９）と、第二の歯車（Ｂ）と同軸の第三の歯車（Ｃ）（１０）が同時に回転する。
２個の第３の歯車（Ｃ）（１０）に発電機（１３）をベルトで連結、回転すると発電する。
【００２０】  排水槽（２）から給水槽（１）に揚水ポンプ（１１）を使用して揚水する。
使用する水は、水道水と雨水を使いエコになるようにする。
【産業上の利用可能性】
【００２１】  本発明の落差利用水車伝動装置は水と水車の回転運動を利用した発電機として使用される。    全国的に節電一色になり、その解消に再生可能なエネルギーを使って自家製の電気を作り、電気会社に売電する時代がきて、高い石油もいらない将来にする。  自然エネルギーへの関心が高まり、電気は単独で発電システムを持つ時代が来る。
【符号の説明】
【００２２】  １    給水槽
２    排水槽
３    導水管
４    水車
５    水車回転軸  ８本
６    給水口      ６個
７    排水口      ２個
８    第一の歯車（Ａ）  水車と回転同軸  ８個
９    回転軸      歯車（１０），（１１）の回転軸  ２本
１０  第二の歯車（Ｂ）  歯車（Ｃ）と同軸  ２個
１１  第三の歯車（Ｃ）  歯車（Ｂ）と同軸  ２個
１２  揚水ポンプ
１３  伝動ベルト
１４  発電機
１５  給水側導水管
１６  排水側導水管
【手続補正３】
【補正対象書類名】図面
【補正対象項目名】図１
【補正方法】変更
【補正の内容】
【図１】
2013057306.tif 000008
【手続補正書】
【提出日】平成24年7月5日(2012.7.5)
【手続補正１】
【補正対象書類名】明細書
【補正対象項目名】全文
【補正方法】変更
【補正の内容】
【発明の詳細な説明】
【技術分野】
【０００１】  本発明は水車を水で駆動回転させて、水車と同軸の歯車に回転エネルギーを伝動する技術分野に関する。
【背景技術】
【０００２】  川の急流で回転する水車や、ダムの水力発電に使われる羽根車（水車）等、従来からある水と水車で行われる回転伝動技術であり、公知されている。
【先行技術文献】
【０００３】
【特許文献】
【特許文献】  特許公開２００８−２５６３２９  公報  特許公開２００５−０６９５１７  公報  特許公開２００１−２８９５３３  公報  特許公開２００１−２４８９４２  公報  特許公開  平１０−０３０８１２  公報  特許公開  平１０−０１９２４４  公報  特許公開  平０５−１７９３２７  公報  特許公表２０００−５０４０７５  公報  特許公表  平１１−５０７４２３  公報  実用新案公開０５−０２８０２７  公報
【０００４】
【非特許文献】
【非特許文献】  佐藤正和著  エネルギー  ｋｋナツメ社出版  ２０００年１１月９日発行  ｐ１２  ｐ７２〜７３  ｐ１１８〜１１９  千矢博道著  小型水力発電入門  パワー社出版  １９９２年９月１０日発行  ｐ６０〜８２  ｐ１０５〜１０７  藤原良樹  細川よし延共著  小型水車製作ガイドブック  パワー社出版  １９９８年７月２０日発行  ｐ１〜９６  竹尾敬三著  小型水力発電機製作所ガイドブック  パワー社出版  １９９９年３月２５日発行  ｐ１〜１２０  小町  弘  吉田裕亮著  絵とき  機械工学のやさしい知識  ｋｋオーム社  平成１８年１月２０日発行  ｐ１５５〜ｐ１５８
【発明の概要】
【発明が解決しようとする課題】
【０００５】  大気汚染問題、地球温暖化問題、又最近石油燃料の価格の高騰、将来的には枯渇問題、東北震災後の電気不足が確実になり、全国的に節電一色の毎日、産業生産の将来、日常生活の今後が不安である等、日本の自然エネルギーへの関心を高める課題がある。【０００６】  再生可能なエネルギーの利用を２０％に引き上げるという政策を発表したことにも応えたい。
【課題を解決するための手段】
【０００７】課題を解決する手段として次の発明を提供する。
底面に２つの流水口を開口した箱形の給水槽と、給水槽の下に、天井に２つ、底面に４つの流水口を開口した給水槽と同型の排水槽を密着固定させ、給水側導水管を給水槽の底面の開口部に接合して、排水槽の天井と底面の開口部をトンネル状に貫通延長させ、又別に排水槽底面の開口部に接合して固定延長された排水側導水管と、Ｕ字形に連結固定させることによって、左右２本の導水管ができて、給水側導水管と排水側導水管の間の適正な位置に、水車が回転するように固定される。
給水槽から水を流すと、給水側の導水管に水が流れ落ちて、水車の右側半分を加圧し、落ちた水は反転して排水側の導水管を上昇し、水車の左側半分を加圧、水車を回転しながら排水槽に入り、電動ポンプで給水槽に還るように循環式にする。
水が流れて水車が回転すると、水車と同軸の第１の歯車（Ａ）が回転、第１の歯車（Ａ）に接触している第２の歯車（Ｂ）と、同軸の第３の歯車（Ｃ）が同時に回転して、２個の第３の歯車（Ｃ）に連動する発電機が回転することを特徴とする落差利用水車伝動装置。である。
【発明の効果】
【０００８】  水を使用することで大気汚染、大きくは地球温暖化問題の軽減に貢献できる。
川やダムの発電の仕組みを広く家庭や企業、事務所に導入でき、発電、電気の消費に使用、残った電力は売る事が出来る。  自然エネルギーを求める低炭素社会の実現に少しでも貢献する効果がある。【０００９】  最近国の政策として、再生可能なエネルギーの利用を２０％に引き上げると発表された。
この政策の実現にも少し役立つと思う。
【図面の簡単な説明】
【００１０】
【図１】  落差利用水車伝動装置  正面図
【図２】  落差利用水車伝動装置  側面図
【図３】  伝動装置  給水槽と排水槽との関係図
【発明を実施するための形態】
【００１１】  以下、本発明の実施の形態について詳細に説明する。
【００１２】  製作に実施使用する構成部品、組み立て位置、その仕事について説明する。
上から順次に、給水を目的とする給水槽（１）。  その給水槽（１）の底面に、適正な位置になる２つの給水口（６）を開口する。
【００１３】給水槽の下に排水槽（２）を密着して２層に重ねて固定し、排水槽（２）の天井部分と底面に、上の給水槽（１）の底面の給水口（６）に重なる天井部分と、底面に２個ずつを開口する。又別に同じ排水槽（２）の底面部分の適正な位置に排水口（７）２個を開口する。
【００１４】  水車（４）を回す水が流れる導水管（配管）（３）はＵ字形で、Ｕ字形の右側を水の流れ落ちる側、Ｕ字形の左側は水が上る側として位置し、排水側導水管（１５）は排水槽（２）の開口部から密着接合して延長し、給水側の導水管（１４）は、給水槽（１）の底面の開口部に密着接合して延長、排水槽（２）の天井と底面の開口部をトンネル状に貫通し、通過させて延長する。
【００１５】  延長された左右（１４）（１５）の導水管をＵ字形の配管で１本に連結接合する。
【００１６】  左右（１４）（１５）の導水管の間で水車（４）が水で回転するよう決められた適正な位置に、水車（４）を複数配置固定する。    この作業では左右２本の導水管（４×２）で、８個の風車（４）が固定使用される。  大型を希望の時は導水管の延長と、水車の数を増やせば良い。  始動は商用電源を使用する。
【００１７】  給水槽（１）の給水口（６）から給水側導水管（１４）へ水が流れ落ちると、水車（４）は水の流れる方向に回転する。  流れ落ちた水は反転し上に流れて、排水槽（２）に入り、ポンプで給水槽に還流される。    流水に水圧を加えると一層効果的である。
【００１８】本発明は水の特質である、凹状の口の開いたガラス容器の片方から水を入れると、もう一方の空間に水が流れて左右同じ水の高さを維持しようとする表面張力の性質を利用する。
【００１９】  導水管（３）に回転するよう固定された水車（４）が流れる水で回転、水車（４）の回転軸（５）と同軸の第一の歯車（Ａ）（８）が回転、第一の歯車（Ａ）に接触している回転軸（９）と、第二の歯車（Ｂ）と同軸の第三の歯車（Ｃ）（１０）が同時に回転する。
２個の第３の歯車（Ｃ）（１０）に発電機（１３）をベルトで連結、回転すると発電する。
【００２０】  排水槽（２）から給水槽（１）に揚水ポンプ（１１）を使用して揚水する。
使用する水は、水道水と雨水を使いエコになるようにする。
【産業上の利用可能性】
【００２１】  本発明の落差利用水車伝動装置は水と水車の回転運動を利用した発電機として使用される。    全国的に節電一色になり、その解消に再生可能なエネルギーを使って自家製の電気を作り、電気会社に売電する時代がきて、高い石油もいらない将来にする。  自然エネルギーへの関心が高まり、電気は単独で発電システムを持つ時代が来る。
【符号の説明】
【００２２】  １    給水槽
２    排水槽
３    導水管
４    水車
５    水車回転軸  ８本
６    給水口      ６個
７    排水口      ２個
８    第一の歯車（Ａ）  水車と回転同軸  ８個
９    回転軸      歯車（１０），（１１）の回転軸  ２本
１０  第二の歯車（Ｂ）  歯車（Ｃ）と同軸  ２個
１１  第三の歯車（Ｃ）  歯車（Ｂ）と同軸  ２個
１２  揚水ポンプ
１３  伝動ベルト
１４  発電機
１５  給水側導水管
１６  排水側導水管